(57)【要約】【課題】  画面共有時に被共有側で共有される前に、画面上の機密情報及び個人情報にかかわるものに関しては不可視化することを目的とする。【解決手段】  通信回線を介してコンピュータ装置の画面表示情報を送信し、受信した側の端末装置に前記画面表示情報を表示する画面共有方法おいて、前記コンピュータ装置が画面表示情報を転送する前に画面上に表示されている情報を認識する手段と  前記認識手段により認識した画面上に表示されている情報のなかから送信不可情報を識別する手段と  前記送信不可情報を識別する手段により送信不可と識別された情報を送信しないようにするための処理を行う手段とを備える。【選択図】  図１
2011060000.tif 000002
【特許請求の範囲】
【請求項１】
通信回線を介してコンピュータ装置の画面表示情報を送信し、受信した側の端末装置に前記画面表示情報を表示する画面共有方法おいて、
前記コンピュータ装置が画面表示情報を転送する前に画面上に表示されている情報を認識する手段と
前記認識手段により認識した画面上に表示されている情報のなかから送信不可情報を識別する手段と
前記送信不可情報を識別する手段により送信不可と識別された情報を送信しないようにするための処理を行う手段と
を備えた画面共有方法。
【請求項２】
請求項１において、
前記送信不可と識別された情報を送信しないようにするための処理を行う手段として
コンピュータで起動中のアプリケーションを終了させる手段
を備えた画面共有方法。
【請求項３】
請求項２において、
前記起動中のアプリケーションを終了させるためにあらかじめ登録された終了可否情報をもとに終了可否を判断する手段と
前記終了可否の判断に基づきアプリケーションを終了させる手段と
を備えた画面共有方法。
【請求項４】
請求項１において、
前記送信不可と識別された情報を送信しないようにするための処理を行う手段として
コンピュータで起動中のアプリケーションをアイコン化させる手段を
を備えた画面共有方法。
【請求項５】
請求項４において、
前記起動中のアプリケーションをアイコン化させるためにあらかじめ登録されたアイコン化可否情報をもとにアイコン化可否を判断する手段と
前記アイコン化可否の判断に基づきアイコン化する手段と
を備えた画面共有方法。
【請求項６】
請求項１において、
前記送信不可と識別された情報を送信しないようにするための処理を行う手段として
コンピュータの表示画面上に表示されているアイコン上に別の画像情報を描画する手段
を備えた画面共有方法。
【請求項７】
請求項６において、
前記アイコン上に別の画像情報を描画するためにあらかじめ登録されたアイコン描画可否情報をもとにアイコン上の描画可否を判断する手段と
前記アイコン描画可否の判断に基づきアイコン上を描画する手段と
を備えた画面共有方法。
【発明の詳細な説明】
【技術分野】
【０００１】
本発明は、コンピュータ装置の画面情報を他の端末装置に送信し、受信した端末装置側では画面情報を表示装置に表示する画面共有方法に関するものである。
【背景技術】
【０００２】
インターネットの発達に伴い、遠隔地からグラフィカルな画面を共有しパーソナルコンピュータを操作できる画面共有技術が開発されている。
【０００３】
製品としてはＳＹＭＡＮＴＥＣ社のｐｃＡｎｙｗｈｅｒｅ（商品名）やアイフォー社のＤｅｓｋＴｏｐ  Ｏｎ−Ｃａｌｌ（登録商標）がある。
【０００４】
また画面共有に関する特許提案としては特開平９−２３１０４４や特開２００４−１６４２６７などがある。
【０００５】
特開平９−２３１０４４ではデスクトップ上の画面を有効画面領域と無効画面領域に分割し有効画面領域のみ画面画像を送信するというもので、それにより通信帯域を低減し、画面の更新頻度を上げるという提案がなされている。この場合の無効領域はデスクトップの壁紙を想定している。
【０００６】
また、特開２００４−１６４２６７においては複数のパーソナルコンピュータから１台のパーソナルコンピュータに同時にアクセスした場合、複数のパーソナルコンピュータのリモート操作権をアプリケーション毎に設定できるようにし、セキュリティ向上をはかったものである。
【先行技術文献】
【特許文献】
【０００７】
【特許文献１】特開平９−２３１０４４号公報
【特許文献２】特開２００４−１６４２６７号公報
【発明の概要】
【発明が解決しようとする課題】
【０００８】
しかしながら上記従来例では、遠隔地にあるコンピュータを操作する点に重点が置かれていて、自身の所有するコンピュータの画面を第３者に見せるという点での考慮がほとんどされていない。
【０００９】
例えば、会議室にて自分自身が所有するＰＣ上のファイルを会議で利用したい場合、会議室にあるＰＣで画面共有アプリケーションを起動し、自宅及びオフィスに所有するＰＣの画面を会議参加者に見せたりする画面共有の利用方法が考えられる。
【００１０】
その場合、例えば第３者には見せたくない重要な機密ファイルやごくプライベートなファイルを開いていた場合、不用意に画面共有してしまうと思わぬ失態を招きかねない。
【００１１】
また、ＰＣのデスクトップ上にどのようなアイコンがあるかも知られたくない場合、例えばゲームアイコンやプライベートな情報に関するアイコンがあるときは、画面共有によりそれらの情報を見せることに対するユーザの抵抗感は大きい。
【００１２】
本発明ではかかる問題点を解決するために、画面共有時に共有される側で、共有前に、起動しているアプリケーションの中で非公開登録されているものは終了処理またはアイコン化処理を行う。また、事前に非公開登録されているデスクトップアイコンに関してはその上に描画を行い画面共有時にそのアイコンを不可視化することを目的とする。
【課題を解決するための手段】
【００１３】
上記課題を解決するため、本発明に係る画面共有方法は、
通信回線を介してコンピュータ装置の画面表示情報を送信し、受信した側の端末装置に前記画面表示情報を表示する画面共有方法おいて、
前記コンピュータ装置が画面表示情報を転送する前に画面上に表示されている情報を認識する手段と
前記認識手段により認識した画面上に表示されている情報のなかから送信不可情報を識別する手段と
前記送信不可情報を識別する手段により送信不可と識別された情報を送信しないようにするための処理を行う手段と
を備えたことを特徴とする。
【発明の効果】
【００１４】
本発明によれば、画面共有時に、起動しているアプリケーション及びアイコンを不可視化することより、ユーザが第３者に自分の所有するパーソナルコンピュータ上の機密情報やプライベート情報を不用意に公開しないですむという効果がある。
【図面の簡単な説明】
【００１５】
【図１】本実施の形態におけるシステムの構成図。
【図２】本実施の形態における表示装置１０２の構成を示すブロック図。
【図３】本実施の形態におけるコンピュータ装置１０１のハードウェア構成を示す図。
【図４】本実施の形態におけるコンピュータ本体３０１の構成を示すブロック図。
【図５】本実施の形態におけるアプリケーション情報テーブルを示す図。
【図６】本実施の形態におけるアイコン情報テーブルを示す図。
【図７】本実施の形態における、画面共有システムの動作例を示した図である。
【図８】本実施の形態における、表示装置１０２の画面共有の動作を示すフローチャート。
【図９】本実施の形態における、コンピュータ装置１０１の起動中アプリケーションに対する処理動作を示すフローチャート。
【図１０】本実施の形態におけるコンピュータ装置１０１の画面上のアイコンに対する処理動作を示すフローチャート。
【発明を実施するための形態】
【００１６】
以下に、添付図面を参照して本発明を実施するための最良の形態について詳細に説明する。
【００１７】
図１は本発明の実施の形態における画面共有システムの全体構成を示す図である。
【００１８】
図において、コンピュータ装置１０１は、通信機能を有しインターネット等に代表されるネットワーク１０３に接続される。表示装置１０２もその内部に通信機能を有し、ネットワーク１０３に接続されている。本実施例では表示装置は専用端末装置として説明するが、コンピュータ装置を用いてもかまわない。
【００１９】
図２は表示装置１０２の内部構成を示した図である。表示装置１０２は、画面共有システム表示用プログラムデータによって動作する。具体的には、ＣＰＵ２０１、ＲＯＭ２０２、ＲＡＭ２０３、ネットワークＩ／Ｆ２０６、入力機器Ｉ／Ｆ２０７、ディスプレイＩ／Ｆ２０８、キーボード２０９、マウス２１０、ディスプレイ２１１、バス２１２を具備しネットワーク１０３に接続されている。
【００２０】
ＣＰＵ２０１は表示装置全体の制御に加えて画面共有システム表示用プログラムデータが指示する処理を行うものである。
【００２１】
ＲＯＭ（Ｒｅａｄ  Ｏｎｌｙ  Ｍｅｍｏｒｙ）２０２は、読出し専用メモリである。ＲＯＭ２０２は、使用者が電気的にプログラムを書き込むことができるＰＲＯＭ（Ｐｒｏｇｒａｍｍａｂｌｅ  ＲＯＭ）と製造するときに内容を書き込むマスクＲＯＭとがあるが、本実施の形態においては何れのＲＯＭであってもよい。ＲＯＭ２０２には画面共有システム表示用プログラムが格納される。
【００２２】
ＲＡＭ（Ｒａｎｄｏｍ  Ａｃｃｅｓｓ  Ｍｅｍｏｒｙ）２０３は、自由書き込み・自由読出しができるメモリである。ＲＡＭ２０３は、本実施の形態の処理を行う際に一時的にデータを蓄える等の機能を有する。
【００２３】
ネットワークインタフェース２０６は、インターネットやイントラネットなどのネットワークに接続するための通信制御を処理するが、ユーザの環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００２４】
入力機器Ｉ／Ｆ２０７は表示装置１０２が具備するキーボード２０９、マウス２１０等からの入力を処理するものであり、表示装置の操作に用いられるものであるが、その他の入力装置例えばリモコンやデジタイザを使用してもかまわない。
【００２５】
ディスプレイＩ／Ｆ２０８及びディスプレイ２１１は表示部であり、ＣＲＴ、液晶ディスプレイ、プラズマディスプレイ、ＳＥＤ（Ｓｕｒｆａｃｅ−Ｃｏｎｄｕｃｔｉｏｎ  Ｅｌｅｃｔｒｏｎ−ｅｍｉｔｔｅｒ  Ｄｉｓｐｌａｙ、「ＳＥＤ」は登録商標）、フロントプロジェクタまたはリアプロジェクションテレビおよびその制御回路によって構成される。表示装置の動作状況はこのディスプレイ上の一部に表示されるものである。
【００２６】
システムバス２１２は、表示装置内の各ブロック間の各種データのやりとり及び電力の供給をするものである。システムバス２１２は、アドレス線、データ線、制御線、電源・グラウンド線等からなる。
【００２７】
図３は本実施の形態におけるコンピュータ端末装置１０１の構成を示す図である。
【００２８】
コンピュータ装置を構成する主な構成機器としては、コンピュータ本体３０１である。また、ディスプレイ３０４、キーボード３０３、マウス３０２等はそれぞれコンピュータ本体３０１に備わっている各機器に対応する入出力端子に接続される。
【００２９】
図４は、画面共有システムの画面情報送信側として利用するコンピュータ装置１０１のコンピュータ本体部３０１の内部構成を示した図である。
【００３０】
コンピュータ本体部３０１は、画面共有システムコンピュータ用プログラムによって動作する。具体的には、ＣＰＵ４０１、ＲＯＭ４０２、ＲＡＭ４０３、内部記憶装置４０４、外部記憶装置４０５、ネットワークＩ／Ｆ４０６、入力機器Ｉ／Ｆ４０７、ディスプレイＩ／Ｆ４０８、キーボード３０３、マウス３０２、ディスプレイ３０４、システムバス４１１を具備しネットワーク１０３に接続されている。
【００３１】
ＣＰＵ４０１は、パーソナルコンピュータ全体の制御に加えて画面共有システムコンピュータ用プログラムデータが指示する処理を行う。
【００３２】
ＲＯＭ（Ｒｅａｄ  Ｏｎｌｙ  Ｍｅｍｏｒｙ）４０２は、読出し専用メモリである。ＲＯＭ４０２は、使用者が電気的にプログラムを書き込むことができるＰＲＯＭ（Ｐｒｏｇｒａｍｍａｂｌｅ  ＲＯＭ）と製造するときに内容を書き込むマスクＲＯＭとがあるが、本実施の形態においては何れのＲＯＭであってもよい。
【００３３】
ＲＡＭ（Ｒａｎｄｏｍ  Ａｃｃｅｓｓ  Ｍｅｍｏｒｙ）４０３は、自由書き込み・自由読出しができるメモリである。ＲＡＭ４０３は、本実施の形態の処理を行う際に一時的にデータを蓄える等の機能を有する。
【００３４】
内部記憶装置４０４は、情報を端末装置内で記憶するための装置である。内部記憶装置の例としては、ハードディスク等がある。４０４は画面共有システムコンピュータ用プログラムデータが格納されるとともに、画面共有システムコンピュータ用プログラムデータの動作に必要なデータの格納がされている。
【００３５】
外部記憶装置４０５は、コンピュータ装置とは別個のメディアについて情報の読書きを行う。外部記憶装置４０５には、例えば、ＦＤドライブ、ＭＯドライブ、ＣＤ−ＲＷドライブ、ＤＶＤ−ＲＷドライブ等がある。
【００３６】
ネットワークインタフェース４０６は、インターネットやイントラネットなどのネットワークに接続するための通信制御を処理するが、ユーザの環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００３７】
入力機器Ｉ／Ｆ４０７は端末装置１０２が具備するキーボード３０３、マウス３０２等からの入力を処理するものであり、コンピュータ装置の操作に用いられるものである。
【００３８】
ディスプレイＩ／Ｆ４０８及びディスプレイ３０４は表示部であり、ＣＲＴ、液晶ディスプレイ、プラズマディスプレイ、ＳＥＤ（Ｓｕｒｆａｃｅ−Ｃｏｎｄｕｃｔｉｏｎ  Ｅｌｅｃｔｒｏｎ−ｅｍｉｔｔｅｒ  Ｄｉｓｐｌａｙ）、フロントプロジェクタまたはリアプロジェクションテレビ、およびその制御回路によって構成される。端末装置の動作状況はこの表示装置上の一部に表示されるものである。
【００３９】
システムバス４１１は、コンピュータ装置内の各ブロック間の各種データのやりとり及び電力の供給をするものである。バス４１１は、アドレス線、データ線、制御線、電源・グラウンド線等からなる。
【００４０】
図５は図１のコンピュータ装置１０１に保存されているアプリケーション情報テーブルの一部であり、本実施例の説明で必要な部分のみ記載したものである。図中Ｆ５０１のＩＤはアプリケーションを識別するための一意なＩＤである、Ｆ５０２はアプリケーション名を表している。Ｆ５０３はアプリケーションの公開の可否すなわち画面共有時にアプリケーション自体を画面上に表示をしていていいかどうかをあらわしている。
【００４１】
図６は図１のコンピュータ装置１０１に保存されているアイコン情報テーブルの一部であり、本実施例の説明で必要な部分のみ記載したものである。図中Ｆ６０１のＩＤはアイコンを識別するための一意なＩＤである、Ｆ６０２はアイコン名を表している。Ｆ６０３はアイコンの公開の可否すなわち画面共有時にアイコンを画面上に表示をしていいかどうかを表している。
【００４２】
図７は本実施形態の画面共有システムにおける動作例を示した図である。
【００４３】
図７の（ａ）は画面共有を行った際に非公開アプリケーションとして登録されているアプリケーションは終了させるという例である。
【００４４】
図７の（ｂ）は画面共有を行った際に非公開アプリケーションとして登録されているアプリケーションは起動中の状態でアイコン化するという例である。
【００４５】
図７の（ｃ）は画面共有を行った際に非公開アイコンとして登録されているアイコンは何かわからないように塗りつぶすという例である。
【００４６】
図８は本実施の形態の画面共有システムにおける、表示装置１０２の画面共有の動作を示すフローチャートの一例である。
【００４７】
まず、ステップＳ８０１において開始すると、ステップＳ８０２に進む。
【００４８】
ステップＳ８０２において、表示装置１０２側のユーザからの画面共有指示の有無を判定し、指示があればステップＳ８０３に進む。
【００４９】
ステップＳ８０３において、コンピュータ装置１０１に画面共有の指示をネットワーク１０３経由で送信し、ステップＳ８０４に進む。
【００５０】
ステップＳ８０４において、コンピュータ装置からの画面データをネットワーク１０３経由で受け取れば、ステップＳ８０５に進む。
【００５１】
ステップＳ８０５において、ステップＳ８０４で受け取った画面データをディスプレイ２１１に表示して、ステップＳ８０６に進む。
【００５２】
ステップＳ８０６において、表示装置１０２側のユーザからの画面共有の終了指示の有無を判定し、指示があればステップＳ８０７に進み終了する。
【００５３】
ステップＳ８０２において、表示装置１０２側のユーザからの画面共有指示が無ければステップＳ８０２に進む。
【００５４】
ステップＳ８０４において、コンピュータ装置からの画面データを受け取らなければステップＳ８０６に進む。
【００５５】
ステップＳ８０６において表示装置１０２側のユーザからの画面共有の終了指示が無ければステップＳ８０４に進む。
【００５６】
以上が表示装置１０２の画面共有動作である。
【００５７】
［第１の実施形態］
図９は本実施の形態の画面共有システムにおける、コンピュータ装置１０１の起動中アプリケーションに対する処理動作を示すフローチャートの一例である。
【００５８】
まず、ステップＳ９０１において開始すると、ステップＳ９０２に進む。
【００５９】
ステップＳ９０２において、表示装置１０２からの画面共有指示の有無を判定し、指示があればステップＳ９０３に進む。
【００６０】
ステップＳ９０３において、コンピュータ装置１０１上で起動しているアプリケーションの有無を判定する、起動しているアプリケーションが有ればステップＳ９０４に進む。
【００６１】
ステップＳ９０４において、起動中アプリケーションでディスプレイに表示されているアプリケーション情報をすべて取得してステップＳ９０５に進む。
【００６２】
ステップＳ９０５において、取得したアプリケーション情報のなかから１個のアプリケーション情報を取り出し、ステップＳ９０６に進む。
【００６３】
ステップＳ９０６において、取り出したアプリケーション情報が非公開アプリケーションであるか否かを図５のアプリケーション情報テーブルをもとに判定し、非公開アプリケーションであれば、ステップＳ９０７に進む。
【００６４】
ステップＳ９０７において、非公開アプリケーションを終了させるか、アイコン化するか判定する。判定の条件としてはあらかじめコンピュータの設定ファイルに記載されている情報を元に行う。判定の結果、非公開アプリケーション終了するのであれば、ステップＳ９０８に進む。
【００６５】
ステップＳ９０８において、非公開アプリケーションの終了処理を行う、この場合、表示装置１０２の表示は図７の（ａ）のようになる。アプリケーションを終了させるとステップＳ９０９に進む。
【００６６】
ステップＳ９０９において、ステップＳ９０４で取得したアプリケーション情報の中からステップＳ９０６の判定処理を行っていないアプリケーション情報の有無を判定し、無ければステップＳ９１０に進む。
【００６７】
ステップＳ９１０において、コンピュータ装置１０１のディスプレイ３０４に表示している画像情報を画像データとして取り込む。画像データとして取り込んだ際何らかの画像圧縮処理を加えてもかまわない。この取り込んだ画像データを表示装置１０２に送信し、ステップＳ９１１に進む。
【００６８】
ステップＳ９１１において、表示装置１０２からの終了指示の有無を判定し、指示があればステップＳ９１２に進み、終了する。
【００６９】
ステップＳ９０２において、画面共有指示が無ければステップＳ９０２に進む。
【００７０】
ステップＳ９０３において、起動しているアプリケーションが無ければステップＳ９１０に進む。
【００７１】
ステップＳ９０６において、非公開アプリケーションで無ければ、ステップＳ９０９に進む。
【００７２】
ステップＳ９０７において、非公開アプリケーション終了するので無ければ、ステップＳ９１３に進む。
【００７３】
ステップＳ９１３において、非公開アプリケーションのアイコン化処理を行う、この場合、表示装置１０２の表示は図７の（ｂ）のようになる。アイコン化処理が終わるとステップＳ９０９に進む。
【００７４】
ステップＳ９０９において、判定処理を行っていないアプリケーション情報があればステップＳ９０５に進む。
【００７５】
ステップＳ９１１において、終了指示が無ければステップＳ９１０に進む。
【００７６】
以上が画面共有システムにおける、コンピュータ装置１０１の起動中アプリケーションに対する処理動作である。
【００７７】
以上の第１の実施形態では、画面共有時に起動中のアプリケーションに対して事前登録情報を元にアプリケーションを終了またはアイコン化させることができる。これにより、プレゼンテーション用アプリケーションはそのまま表示し、ゲームアプリケーションは不可視化させるということが可能になりユーザの利便性の向上につながる。
【００７８】
［第２の実施形態］
上記第１の実施形態では起動中のアプリケーションに対して処理を行っているのに対して、第２の実施形態として画面上に表示しているアイコンに対する処理について説明する。
【００７９】
図１０は本実施の形態の画面共有システムにおける、コンピュータ装置１０１の画面上のアイコンに対する処理動作を示すフローチャートの一例である。
【００８０】
まず、ステップＳ１００１において開始すると、ステップＳ１００２に進む。
ステップＳ１００２において、表示装置１０２からの画面共有指示の有無を判定し、指示があればステップＳ１００３に進む。
【００８１】
ステップＳ１００３において、コンピュータ装置１０１のデスクトップ上に表示しているでアイコンの有無を判定する、表示しているアイコンが有ればステップＳ１００４に進む。
【００８２】
ステップＳ１００４において、デスクトップ上に表示されているアイコン情報をすべて取得してステップＳ１００５に進む。
【００８３】
ステップＳ１００５において、取得したアイコン情報のなかから１個のアイコン情報を取り出し、ステップＳ１００６に進む。
【００８４】
ステップＳ１００６において、取り出したアイコン情報が非公開アイコンであるか否かを図６のアイコン情報テーブルをもとに判定し、非公開アイコンであれば、ステップＳ１００７に進む。
【００８５】
ステップＳ１００７において、非公開アイコン上に描画処理を行う。この描画処理はアイコン及びアイコン名を囲む矩形領域に特定の色で描画処理を行うことである。この場合、表示装置１０２の表示は図７の（ｃ）のようになる。描画処理を行った後ステップＳ１００８に進む。
【００８６】
ステップＳ１００８において、ステップＳ１００４で取得したアイコン情報の中からステップＳ１００６の判定処理を行っていないアイコン情報の有無を判定し、無ければステップＳ１００９に進む。
【００８７】
ステップＳ１００９において、コンピュータ装置１０１のディスプレイ３０４に表示している画像情報を画像データとして取り込む。画像データとして取り込んだ際何らかの画像圧縮処理を加えてもかまわない。この取り込んだ画像データを表示装置１０２に送信し、ステップＳ１０１０に進む。
【００８８】
ステップＳ１０１０において、表示装置１０２からの終了指示の有無を判定し、指示があればステップＳ１０１１に進み、終了する。
【００８９】
ステップＳ１００２において、画面共有指示が無ければステップＳ１００２に進む。
【００９０】
ステップＳ１００３において、表示しているアイコンが無ければステップＳ１００９に進む。
【００９１】
ステップＳ１００６において、非公開アイコンで無ければ、ステップＳ１００８に進む。
【００９２】
ステップＳ１００８において、判定処理を行っていないアプリケーション情報があればステップＳ１００５に進む。
【００９３】
ステップＳ１０１０において、終了指示が無ければステップＳ１００９に進む。
【００９４】
以上が画面共有システムにおける、コンピュータ装置１０１に表示しているアイコンに対する処理動作である。
【００９５】
以上の第２の実施形態では、画面共有時にデスクトップ上のアイコンに対して事前登録情報を元にアイコンを見えなくすることが出来る。これにより、業務用アイコンはそのままで、娯楽性の高いアイコンやプライベート性の強いアイコンは不可視化させるということが可能になりユーザの利便性の向上につながる。
【符号の説明】
【００９６】
１０１  コンピュータ装置
１０２  表示装置
１０３  ネットワーク
２０１  ＣＰＵ
２０２  ＲＯＭ
２０３  ＲＡＭ
２０６  ネットワークＩ／Ｆ
２０７  入力機器Ｉ／Ｆ
２０８  ディスプレイＩ／Ｆ
２０９  キーボード
２１０  マウス
２１１  ディスプレイ
３０１  コンピュータ本体
３０２  マウス
３０３  キーボード
３０４  ディスプレイ
４０１  ＣＰＵ
４０２  ＲＯＭ
４０３  ＲＡＭ
４０４  内部記憶装置
４０５  外部記憶装置
４０６  ネットワークＩ／Ｆ
４０７  入力機器Ｉ／Ｆ
４０８  ディスプレイＩ／Ｆ
【図１】
2011060000.tif 000003
【図２】
2011060000.tif 000004
【図３】
2011060000.tif 000005
【図４】
2011060000.tif 000006
【図５】
2011060000.tif 000007
【図６】
2011060000.tif 000008
【図７】
2011060000.tif 000009
【図８】
2011060000.tif 000010
【図９】
2011060000.tif 000011
【図１０】
2011060000.tif 000012